(57)【特許請求の範囲】
【請求項１】
キッチンの内部に位置する排水装置の下方位置で出し入れ可能となる引き出しに設けられるとともに、当該引き出しの底部と排水装置との間に位置可能な仕切部を備えた引き出しの排水装置ガードであって、
前記仕切部は、少なくとも上方から収納対象物を出し入れ可能な空間が間に形成された軸部材である一対の仕切上部と、これら仕切上部から下方に向けられた一対の仕切前端部と、これら仕切前端部の下端に設けられて前記引き出しの底部に接地する接地部とを備えて構成されていることを特徴とするキッチン用引き出しの排水装置ガード。
【請求項２】
キッチンの内部に位置する排水装置の下方位置で出し入れ可能となる引き出しに設けられるとともに、当該引き出しの底部と排水装置との間に位置可能な仕切部を備えた引き出しの排水装置ガードであって、
前記仕切部は、少なくとも上方から収納対象物を出し入れ可能な空間を備えた形状に設けられている一方、前後方向に延びる左右一対の軸部材を含み、これら軸部材間に掛け渡し可能な容器が前記空間下の収納領域内に着脱自在に配置されていることを特徴とするキッチン用引き出しの排水装置ガード。
【請求項３】
キッチンの内部に位置する排水装置の下方位置で出し入れ可能となる引き出しに設けられるとともに、当該引き出しの底部と排水装置との間に位置可能な仕切部を備えた引き出しの排水装置ガードであって、
前記仕切部は、少なくとも上方から収納対象物を出し入れ可能な空間を備えた形状に設けられている一方、前後方向に延びる左右一対の軸部材を含み、これら軸部材間に掛け渡し可能な容器が前記空間下の収納領域内に着脱自在に配置され、
前記容器は、包丁を横向き姿勢で収容する溝を備えていることを特徴とするキッチン用引き出しの排水装置ガード。
【発明の詳細な説明】
【０００１】
【発明の属する技術分野】
本発明は、キッチン用引き出しの排水装置ガードに係り、更に詳しくは、引き出し内の収納対象物とシンクの下部に位置する排水装置との位置的な干渉を防止しつつ上方からの収納対象物の出し入れを可能とするキッチン用引き出しの排水装置ガードに関する。
【０００２】
【従来の技術】
最近のキッチンは、シンクの下部に位置する排水装置下の領域に引き出しを設けるタイプのものが出現するに至っている。このタイプの引き出しは、その出し入れに際して、引き出しの奥行側に収納された収納対象物が排水装置にぶつかることがないようにするガードを設け、このガードに所定の注意書きを行ってユーザーへの注意喚起を図っている。この注意を喚起する公知の構造としては、例えば、図８及び図９に示されるように、引き出し６０の後部フレーム６２側に平面視略方形のプレート６３を設け、当該プレート６３に所定の注意書きを付する構造が採用されている。これによれば、プレート６３の上部に収納対象物Ｂ１が位置するような収納態様をなくすことができ、引き出し６０の出し入れに際して排水装置６５との干渉を防止することができる。
【０００３】
【発明が解決しようとする課題】
しかしながら、このようなプレート６３が設けられた構成では、当該プレート６３の下に収まる高さの収納対象物Ｂ１を置いた状態で、その周囲にも他の収納対象物Ｂ２を置いた場合に、プレート６３下の収納対象物Ｂ１を出し入れする毎に周囲の収納対象物Ｂ２を退かす作業が必要になるという不都合がある。特に、引き出し６０への収納対象物Ｂ１，Ｂ２は種々雑多の小物類が多いため、かかる作業が要求されることの負担は大きい。
【０００４】
ところで、キッチン６６の引き出し６０のように、使用する対象者が家人等一定の者に限られている場合には、引き出し６０内の収納対象物Ｂ２と排水装置６５との位置的な干渉を防止するプレート６３のようなガードを採用するにあたり、当該ガードに注意書きを付さなくても別異の手段を利用して使用者に注意喚起ができれば実際上の支障はない。例えば、ガードの意味説明を付して注意を喚起するラベルを引き出し６０の側部６０Ａ若しくは背部６０Ｂ内面に貼付し、或いは、取扱説明書にその旨の注意を行っておくことに代替すること等も可能と考えられる。
【０００５】
【発明の目的】
ここに、本発明の目的は、使用者が一定の者に限られている現実に着目し、引き出し内の収納対象物と排水装置との位置的な干渉を防止する構造を採用するにあたり、上方から収納対象物の出し入れを可能とするキッチン用引き出しの排水装置ガードを提供することにある。
【０００６】
【課題を解決するための手段】
前記目的を達成するため、本発明は、キッチンの内部に位置する排水装置の下方位置で出し入れ可能となる引き出しに設けられるとともに、当該引き出しの底部と排水装置との間に位置可能な仕切部を備えた引き出しの排水装置ガードであって、
前記仕切部は、少なくとも上方から収納対象物を出し入れ可能な空間が間に形成された軸部材である一対の仕切上部と、これら仕切上部から下方に向けられた一対の仕切前端部と、これら仕切前端部の下端に設けられて前記引き出しの底部に接地する接地部とを備えて構成される、という構成を採っている。このような構成によって、ラベルの貼付や取扱説明書等の手段を利用して使用者に注意を喚起しておけば、仕切部の高さが目安となって、排水装置ガードが設けられた領域には仕切部よりも突出する収納対象物を収納しないようになり、収納対象物と排水装置との位置的な干渉を防止可能となる。また、仕切部は上方から収納対象物の出し入れを可能とする空間を備えた形状に設けられているため、排水装置ガードの周囲に収納対象物を置いた場合に、これら収納対象物を退かさなくても、前記空間下に形成される収納領域に対して収納対象物を出し入れすることができる。
【０００７】
【発明の実施の形態】
また、本発明は、キッチンの内部に位置する排水装置の下方位置で出し入れ可能となる引き出しに設けられるとともに、当該引き出しの底部と排水装置との間に位置可能な仕切部を備えた引き出しの排水装置ガードであって、
前記仕切部は、少なくとも上方から収納対象物を出し入れ可能な空間を備えた形状に設けられている一方、前後方向に延びる左右一対の軸部材を含み、これら軸部材間に掛け渡し可能な容器が前記空間下の収納領域内に着脱自在に配置される、という構成を採ることができる。このような構成によれば、収納対象物の種類に応じて空間下の収納領域のレイアウト変更を簡単に行うことができ、当該収納領域を有効活用することができる。
更に、本発明は、キッチンの内部に位置する排水装置の下方位置で出し入れ可能となる引き出しに設けられるとともに、当該引き出しの底部と排水装置との間に位置可能な仕切部を備えた引き出しの排水装置ガードであって、
前記仕切部は、少なくとも上方から収納対象物を出し入れ可能な空間を備えた形状に設けられている一方、前後方向に延びる左右一対の軸部材を含み、これら軸部材間に掛け渡し可能な容器が前記空間下の収納領域内に着脱自在に配置され、
前記容器は、包丁を横向き姿勢で収容する溝を備える、という構成も採用される。これにより、包丁を収納する専用の領域が形成されることになるため、排水装置に干渉するような収納対象物を置くことが確実に防止できる。
【０００８】
なお、本明細書において、「手前」、「奥行」、「前」、「後」、「左」、「右」等の位置若しくは方向を示す用語は、特に明示しない限り、キッチンを正面側から見た状態を基準とする。
【０００９】
【実施例】
以下、本発明の実施例について図面を参照しながら説明する。
【００１０】
図１には、本実施例に係るキッチン用排水装置ガードが取り付けられたキッチンの概略断面側面図が示され、図２には、図１の要部概略斜視図が示されている。これらの図において、キッチン１０は、シンク１１が取り付けられたカウンター１２と、このカウンター１２を支持する箱型のキャビネット１３とを備えて構成されている。
【００１１】
前記キャビネット１３には、シンク１１の下方位置に収容可能な上下二段の引き出し１５，１６が設けられている。このうち、上段側の引き出し１５は、平面視で略長方形状の底板１９（底部）と、この底板１９の前端側に位置する前板２０と、底板１９の左右（図１中紙面直交方向）両端側に位置する一対の側板２１，２１と、これら側板２１，２１の後端側間に設けられるとともに、シンク１１の底部１１Ａの奥行側から垂下する排水装置２４に干渉しない高さとなる背板２２とを備えて構成されている。なお、排水装置２４は、引き出し１５の後方に位置する排水管２５を通じてキッチン１０外部の下水管（図示省略）に連結されている他、引き出し１５が略完全に収容された引き出し収容状態（図１参照）で、引き出し１５内における奥行側の左右方向略中央部の上方に位置するようになっている。
【００１２】
前記背板２２の左右方向略中央部には、引き出し収容状態で排水ホース２４Ｂよりも下に位置して引き出し１５内の収納対象物Ｂ１と排水装置２４との干渉を防止する排水装置ガード３０が取り付けられている。この排水装置ガード３０は、図３に示されるように、線状部材を用いて形成されたものであり、背板２２への装着部となる取付部３２と、この取付部３２と一体的に設けられるとともに、引き出し収容状態で引き出し１５の底板１９と排水装置２４との間に位置可能な仕切部３３とを備えて構成されている。
【００１３】
前記取付部３２は、背板２２の後面側に引っ掛け可能な形状に設けられている。すなわち、取付部３２は、背板２２の後面側に位置する正面視略Ｕ字状の後部３７と、この後部３７の上端から手前側に延びて背板２２の上端面に乗る左右一対の取付上部４０，４０とにより構成されている。後部３７は、上下方向に向けられた左右一対の後部鉛直部３７Ａ、３７Ａと、これらの下端間に位置する後部水平部３７Ｂとからなる。後部水平部３７Ｂには、その中間位置に穴４４を備えた円盤状部４３が設けられており、穴４４にねじ４５を奥行側から前方に向けてねじ込むことにより排水装置ガード３０が背板２２に固定可能となっている。
【００１４】
前記仕切部３３は、取付部３２の取付上部４０，４０と同一軸線上に連なって前後方向に延びる軸部材としての左右一対の仕切上部３３Ａ、３３Ａと、これら仕切上部３３Ａ、３３Ａの前端から下方に向けられた左右一対の仕切前端部３３Ｂ、３３Ｂと、各仕切前端部３３Ｂ、３３Ｂの下端間を相互に連結する接地部３３Ｃとにより構成されている。左右の仕切上部３３Ａ、３３Ａの間には、上方から収納対象物Ｂ１を出し入れ可能な空間Ｓが設けられ、当該空間Ｓの前後方向幅及び左右方向幅は、排水装置２４の直径よりも大きく設定されている。また、仕切前端部３３Ｂ、３３Ｂの上下方向長さは、前記取付部３２が背板２２に装着されたときに、前記接地部３３Ｃが引き出し１５の底板１９に接地する長さに設けられ、これによって、排水装置ガード３０を引き出し１５に取り付けるときに容易に自立姿勢を保つことが可能となっている。
【００１５】
本実施例では、図２に示されるように、背板２２の内面にラベルＬが貼付されており、このラベルＬには、左右の仕切上部３３Ａ，３３Ａの間に、当該仕切上部３３Ａよりも高さのある収納対象物Ｂ２を収納してはならない旨の記載が付されている。従って、使用者は、仕切上部３３Ａ，３３Ａの存在意義を当初に認識することができ、以後、使用者は、ラベルＬの内容によらなくても仕切上部３３Ａ，３３Ａの高さ以上の物を仕切部３３の領域内に置かなくなり、これによって、排水装置２４との干渉防止を図ることができる。
【００１６】
前記排水装置ガード３０の取り付けに際しては、先ず、引き出し１５をキャビネット１３から引き出した状態で、排水装置ガード３０を手で持ちながら背板２２の上方から取付部３２を引っ掛け、仕切部３３の下端側部分となる接地部３３Ｃを底板１９に接地させる。そして、排水装置ガード３０を背板２２に沿って左右に動かし、当該排水装置ガード３０が排水装置２４の下方に位置するように位置決めを行う。この位置決めが終わったら、円盤状部４３の穴４４にねじ４５を挿入して当該ねじ４５を背板２２の後面にねじ込んで排水装置ガード３０を固定する（図４参照）。
【００１７】
従って、このような実施例によれば、使用者は、一旦、ラベルＬや取扱説明書等で排水装置ガード３０の存在意義を理解すれば、以後は、仕切上部３３Ａ，３３Ａ間にそれらの高さ以上となる収納対象物Ｂ２の収納をしないこととなり、当該収納対象物Ｂ２と排水装置２４との位置的な干渉を防止することが可能になるという効果を得る。
【００１８】
また、排水装置ガード３０の上端側に位置する仕切上部３３Ａ，３３Ａ間に空間Ｓが設けられているため、排水装置ガード３０を囲むように収納対象物Ｂ２が置かれていても、当該収納対象物Ｂ２を退かすことなく空間Ｓ下の収納領域Ａに対して上方から収納対象物Ｂ１を出し入れすることができる。
【００１９】
なお、前記実施例における仕切上部３３Ａ，３３Ａ間には、図５及び図６に示される小物入れ４７や、図７に示される包丁保持体４８からなる容器を配置することができる。
【００２０】
前記小物入れ４７は、上部を開放する有底の略直方体形状に設けられており、仕切上部３３Ａ，３３Ａ間の空間Ｓ下の収納領域Ａ内に収まるサイズとなっている。この小物入れ４７は、平面視で略方形状の底壁５０と、この底壁５０の周縁に沿って設けられた周壁５１と、この周壁５１の上端部分の左右両側に設けられるとともに、仕切上部３３Ａ，３３Ａに係合可能な係合フック部５２，５２とを備えて構成されている。このような構成の小物入れ４７は、仕切上部３３Ａ，３３Ａに係合フック部５２，５２を引っ掛けることにより上方から排水装置ガード３０に取り付けられる。
【００２１】
一方、図７に示される包丁保持体４８は、仕切上部３３Ａ，３３Ａ間に掛け渡される本体板５４と、この本体板５４の左右両端側から下向きに延びる垂下片５５とからなっている。本体板５４には、その前後方向に延びる断面略Ｖ字状の溝５６が左右方向三箇所に形成されている。これら溝５６は、包丁Ｎの刃部分を受容可能に設けられ、これによって、包丁Ｎは、前後方向に沿って横向き姿勢で包丁保持体４８に収容されることになる。なお、包丁保持体４８は、包丁Ｎを横向き姿勢で保持可能となる溝５６を備える限りにおいて、他の形状、構造等を採用することもできる。
【００２２】
このように構成された包丁保持体４８は、その左右両端側を仕切上部３３Ａ，３３Ａに引っ掛けることにより、排水装置ガード３０に取り付けられて包丁Ｎを収納する専用の領域を形成し、これにより、排水装置２４に干渉するような収納対象物Ｂ２の設置が確実に防止されることとなる。なお、ここで用いられる排水装置ガード３０としては、前述した構成に加えて、仕切上部３３Ａ，３３Ａの前部間に柄受け部５８を設けるとよく、この柄受け部５８によって、包丁保持体４８から前方に突出した包丁Ｎの柄部分を支持可能にすることが好ましい。
【００２３】
なお、前記実施例においては、取付部３２を背板２２の後方からねじ止めする構成としたが、取付部３２を引き出し１５に固定できる限りにおいて種々の構成を採用することができる。例えば、取付部３２として、背板２２を挟み込み可能な二股状部材を採用し、この二股状部材の前部或いは後部にねじを前後方向に移動可能に装着して、当該ねじの先端と二股状部材とで背板２２に挟持力を付与することで排水装置ガード３０を固定する構造とすることも可能である。この場合には、排水装置ガード３０を取り外す場合であっても、背板２２に穴を残さないようにすることができる。また、ねじを緩めるだけで排水装置ガード３０を背板２２の左右方向に沿って移動させることができ、排水装置ガード３０の位置調整作業を容易に行うことができる。
【００２４】
また、本発明は、少なくとも上方から収納対象物Ｂ１を出し入れ可能となる空間Ｓを備え、且つ、引き出し１５に取り付けられた状態で排水装置２４に干渉しない限りにおいて、種々の構成を採用することも可能である。例えば、仕切前端部３３Ｂの上下方向長さを短くし、排水装置ガード３０が背板２２側のみで固定支持される片持ち構造にすることも可能である。
【００２５】
【発明の効果】
以上説明したように、本発明によれば、引き出しの底部と排水装置との間に位置可能な仕切部に、少なくとも上方から収納対象物を出し入れ可能な空間を設けたから、収納対象物と排水装置との位置的な干渉を防止することができる他、排水装置ガードの周囲に収納対象物を置いた場合に、これら収納対象物を退かさなくても、前記空間下に形成される収納領域に収納対象物を出し入れすることができる。
【００２６】
また、仕切部を前後方向に延びる左右一対の軸部材を含んで構成し、これら軸部材間に掛け渡し可能な容器を着脱自在に配置したから、収納対象物の種類に応じて空間下の収納領域のレイアウト変更を簡単に行うことができ、当該収納領域をより有効活用することができる。
【００２７】
更に、前記容器に包丁を横向き姿勢で収容する溝を備えたから、排水装置２４下に包丁を収納する専用の領域を形成することができ、排水装置に干渉するような収納対象物の設置を確実に防止することができる。
【図面の簡単な説明】
【図１】本実施例における排水装置ガードが取り付けられたキッチンの概略断面側面図。
【図２】図１の要部概略斜視図。
【図３】排水装置ガードの概略斜視図。
【図４】取付部が背板に取り付けられた状態を示す拡大縦断面図。
【図５】小物入れを装着した状態の排水装置ガードの概略斜視図。
【図６】図５のＣ−Ｃ線矢視拡大断面図。
【図７】包丁保持体を装着した状態の排水装置ガードの概略斜視図。
【図８】従来例におけるキッチンの概略断面側面図。
【図９】図８の要部概略斜視図。
【符号の説明】
１０・・・キッチン、１５・・・引き出し、１９・・・底板（底部）、２４・・・排水装置、３０・・・排水装置ガード、３３・・・仕切部、３３Ａ・・・仕切上部（軸部材）、４７・・・小物入れ（容器）、４８・・・包丁保持体（容器）、５６・・・溝、Ｂ１・・・収納対象物、Ｎ・・・包丁、Ｓ・・・空間
【図１】
0003561687.tif 000002
【図２】
0003561687.tif 000003
【図３】
0003561687.tif 000004
【図４】
0003561687.tif 000005
【図５】
0003561687.tif 000006
【図６】
0003561687.tif 000007
【図７】
0003561687.tif 000008
【図８】
0003561687.tif 000009
【図９】
0003561687.tif 000010